(57)【要約】【課題】  使用者にビン排紙トレイにプリント用紙が排出されスタックされていることが明確に理解することができるようにする。【解決手段】  作像部１１と画像読取装置１３との間に胴内排紙部１６を備える胴内排紙型画像形成装置１０の胴内排紙部１６に配置されたビン排紙トレイ２０に用紙が排出されスタックされたことを検出してスタック通知信号を発生する用紙検出手段と、スタック通知信号に基づいてビン排紙トレイ２０に用紙に用紙がスタックされたことを通知するためビン排紙トレイ２０に光を照射する発光手段２２を備えた。【選択図】        図３
2006259194.tif 000002
【特許請求の範囲】
【請求項１】
作像部と画像読取部と前記作像部と画像読取部と間に排紙部を備える胴内排紙型画像形成装置の排紙部に配置されたビン排紙トレイに用紙が排出されスタックされたときスタック通知信号を発生するスタック状態通知手段と、前記スタック通知信号に基づいてビン排紙トレイに用紙に用紙がスタックされたことを通知する通知手段を備えたことを特徴とする有紙通知装置。
【請求項２】
前記通知手段は、発光手段からなることを特徴とする請求項１の有紙通知装置。
【請求項３】
前記発光手段は、ビン排紙トレイの操作者側の側面部を発光させることを特徴とする請求項２の有紙通知装置。
【請求項４】
前記発光手段は、ビン排紙トレイの上面部の水平角部を発光させることを特徴とする請求項２の有紙通知装置。
【請求項５】
前記発光手段は、ビン排紙トレイの表面を発光させることを特徴とする請求項２の有紙通知装置。
【請求項６】
ビン排紙トレイが透明素材で形成されていることを特徴とする請求項２ないし５のいずれかの有紙通知装置。
【請求項７】
前記通知手段は、音声を発する音声発生装置であることを特徴とする請求項１の有紙通知装置。
【請求項８】
前記音声発生手段は、ビン排紙トレイに用紙がある旨の言語で発声することを特徴とする請求項７の有紙通知装置。
【請求項９】
前記音声発生手段は、予め複数の言語を発声できるものとし、必要に応じて1または選ばれた複数の言語で発声する事を特徴とする請求項８の有紙通知装置。
【請求項１０】
前記通知手段は、用紙がスタックされた状態のビン排紙トレイを画像形成装置本体内部から操作者側に向けて移動させるビン排紙トレイ移動手段であることを特徴とする請求項１の有紙通知装置。
【請求項１１】
請求項１ないし１０のいずれかの有紙通知装置を備えたことを特徴とする画像形成装置。
【発明の詳細な説明】
【技術分野】
【０００１】
本発明は有紙通知装置及び画像形成装置に係り、特に作像部と画像読取部と前記作像部と画像読取部と間に排紙部を備える胴内排紙型画像形成装置の排紙部に配置されたビン排紙トレイに画像形成済みの用紙がスタックされたことを通知する有紙通知装置及び画像形成装置に関する。
【背景技術】
【０００２】
画像形成装置として、所謂胴内排紙型のものがある。これは、作像部と画像読取部と前記作像部と画像読取部と間に排紙部を備えるタイプのものである。このような胴内排紙型画像形成装置においては、用紙が排出されたことを知らせる表示と、実際に用紙が排出されスタックされているビン排紙トレイの配置場所とが離れていたため、その表示によって用紙があることが使用者に理解されにくかった。
【０００３】
このような装置でビン排紙トレイに関する技術として、以下のものがある。特許文献１には、胴内排紙型画像形成装置において、少なくとも１つのビン排紙トレイが、上記空間に位置するように設けられ、ビン排紙トレイ上と装置筐体上との排出を切り換える切り換え手段とを備え、上記ビン排紙トレイの排紙取り出し側に、上記装置筐体上に排紙された用紙の確認のための切欠きが形成され、当該切欠きは上記操作部側に配置されるものが記載されている。
【０００４】
特許文献２には、複数のビン紙トレイと移動装置とを備え、ビン排紙トレイが満杯になったときこれを検出する検出手段とを備え、各ビン排紙トレイが満杯になった状態でさらに出力原稿があるときは、満杯となっていないビン排紙トレイを排出口に移動するものが記載されている。
【０００５】
特許文献３には、仕分け動作時、偏倚手段は支持手段に支持されたビントレイをシートの受け入れ側略水平方向に偏倚させ、偏倚位置におけるビントレイの面間隔を他の位置におけるビントレイの面間隔より拡げ、搬入されるシートの受け入れを容易にため偏倚手段がビン排紙トレイ案内手段である場合は、ビントレイ案内手段が、例えば
傾斜案内部に沿ってビントレイの一部を案内することにより、ビントレイを略水平方向に偏倚させるものが記載されている。
【０００６】
【特許文献１】特許第３５９５０２６号公報
【特許文献２】特開平０３−１６２３６５号公報
【特許文献３】特許第３２７７４６５号公報
【発明の開示】
【発明が解決しようとする課題】
【０００７】
しかし、上述した従来の画像形成装置では用紙が排出されている表示と、用紙がある場所との関連性を明確に使用者に伝えることができないという問題がある。そこで本発明は、使用者にビン排紙トレイにプリント用紙が排出されスタックされていることが明確に理解することができるようにすることを目的とする。
【課題を解決するための手段】
【０００８】
請求項１の発明は、作像部と画像読取部と前記作像部と画像読取部と間に排紙部を備える胴内排紙型画像形成装置の排紙部に配置されたビン排紙トレイに用紙が排出されスタックされたことを検出してスタック通知信号を発生する用紙検出手段と、前記スタック通知信号に基づいてビン排紙トレイに用紙に用紙がスタックされたことを通知する通知手段を備えたことを特徴とする有紙通知装置である。
【０００９】
請求項２の発明は、請求項１の有紙通知手段において、前記通知手段は、発光手段からなることを特徴とする。
【００１０】
請求項３の発明は、請求項２の有紙通知装置において、前記発光手段は、ビン排紙トレイの操作者側の側面部を発光させることを特徴とする。
【００１１】
請求項４の発明は、請求項２の有紙通知装置において、前記発光手段は、ビン排紙トレイの上面部の水平角部を発光させることを特徴とする。
【００１２】
請求項５の発明は、請求項２の有紙通知装置において、前記発光手段は、ビン排紙トレイの表面を発光させることを特徴とする。
【００１３】
請求項６の発明は、請求項２ないし５のいずれかの有紙通知装置において、ビン排紙トレイが透明素材で形成されていることを特徴とする。
【００１４】
請求項７の発明は、請求項１の有紙通知装置において、前記通知手段は、音声を発する音声発生装置であることを特徴とする。
【００１５】
請求項８の発明は、請求項７の有紙通知装置において、前記音声発生手段は、ビン排紙トレイに用紙がある旨の言語で発声することを特徴とする。
【００１６】
請求項９の発明は、請求項８の有紙通知装置において、前記音声発生手段は、予め複数の言語を発声できるものとし、必要に応じて1または選ばれた複数の言語で発声する事を特徴とする。
【００１７】
請求項１０の発明は、請求項１の有紙通知装置において、前記通知手段は、用紙がスタックされた状態のビン排紙トレイを画像形成装置本体内部から操作者側に向けて移動させるビン排紙トレイ移動手段であることを特徴とする。
【００１８】
請求項１１の発明は、請求項１ないし１０のいずれかの有紙通知装置を備えたことを特徴とする画像形成装置である。
【発明の効果】
【００１９】
本発明によれば、ビン排紙トレイに用紙がスタックされたとき通知装置でその旨が通知され、使用者にビン排紙トレイにプリント用紙が排出されスタックされていることが明確に理解することができる。
【発明を実施するための最良の形態】
【００２０】
以下本発明を実施するための最良の形態を、図に示す実施例を参照して説明する。
【実施例１】
【００２１】
図１は実施例に係る画像形成装置を示す斜視図、図２は第１の実施例に係る有紙通知装置を示す斜視図である。
【００２２】
本例に係る画像形成装置１０は、図１に示すように胴内排紙型であり、例えば電子式写真方式の画像形成を行う作像部１１、自動原稿送り装置１２、画像読取装置１３、給紙部１４、操作部１５を備えている。そして、画像読取装置１３と作像部１１の間には胴内排紙部１６が配置され、排紙口１７，１８が配置されている。そして本例では、１６胴内排紙部１６には排紙口１８から排紙される用紙を受けるビン排紙トレイ２０が配置されている。
【００２３】
本例では、図２に示すように画像形成装置の胴内排紙部１６には、合成樹脂で形成されたビン排紙トレイ２０と、前記ビン排紙トレイ２０の上面に光を照射する複数の発光ダイオード２３を備えた通知手段としての発光手段２２とを備える。本例では、スタック状態通知信号を発生するスタック状態通知手段は、画像形成装置１０を制御する制御部が兼ねており、画像形成装置１０の制御状態からスタック信号を発生する。なお、スタック状態通知手段として、ビン排紙トレイ２０上の用紙を検知する光センサ２１や超音波センサ、ビン排紙トレイ２０その他の場所に設けた接触式、非接触式のセンサを使用することができる。
【００２４】
本例では、ビン排紙トレイ２０に用紙が排出されると、発光手段２２はスタック状態通知手段からスタック信号を受けて発光する。発光された光はビン排紙トレイ２０の上面に照射され、ビン排紙トレイ２０の表面が他の部分より明るくなる。すると操作者には照らされたビン排紙トレイ２０が目立つように映り、操作者はビン排紙トレイ２０を注目することとなり、ビン排紙トレイ２０上に用紙が存在していることを容易に認識できるものとなる。なお、発光手段２２として赤色、その他の色の光を発生するものを使用するとビン排紙トレイ２０がその色に着色されるためより目立ちやすい。
【実施例２】
【００２５】
図３は第２の実施例に係る有紙通知装置を示す斜視図である。本例では、ビン排紙トレイ３０と、第１の実施例と同様のスタック状態通知手段と、発光ダイオード等の発光手段３１とを備える。ビン排紙トレイ３０は、トレイ受部３３に取り付けられており、トレイ受部３３には、上記発光手段３１とビン排紙トレイ３０と画像形成装置１０との信号接続部３４とが設けられている。また、本例では、ビン排紙トレイ３０には、その操作者側端部に前記発光手段３１の光が導かれて射出する発光面３２が形成されている。
【００２６】
従って本例では、ビン排紙トレイ３０に用紙が排出されると、発光手段３１はスタック状態通知手段からスタック信号を受けて発光する。発光された光はビン排紙トレイ３０の発光面３２から射出され、ビン排紙トレイ３０の発光面３２が他の部分より目立つようになり、操作者はビン排紙トレイ３０を注目することとなる。このため、ビン排紙トレイ３０上に用紙が存在していることを容易に認識できるものとなる。なお、発光手段３１として赤色、その他の色の光を発生するものを使用すると発光面３２がその色で発光するためより目立ちやすい。
【実施例３】
【００２７】
図４は第３の実施例に係る有紙通知装置を示す斜視図である。本例では、ビン排紙トレイ４０と、第１の実施例と同様のスタック状態通知手段と、発光ダイオード等の発光手段４１とを備える。ビン排紙トレイ４０は、トレイ受部４３に取り付けられており、トレイ受部４３の手前側には、発光ダイオード等の発光手段４１が設けられている。また、本例では、ビン排紙トレイ４０には、その操作者側縁部に前記発光手段４１の光が導かれて射出する発光面４２が形成されている。
【００２８】
従って本例では、ビン排紙トレイ４０に用紙が排出されると、発光手段４１はスタック状態通知手段からスタック信号を受けて発光する。発光された光はビン排紙トレイ４０の発光面４２から射出され、ビン排紙トレイ４０の発光面４２が他の部分より目立つようになり、操作者はビン排紙トレイ４０を注目することとなる。このため、ビン排紙トレイ４０上に用紙が存在していることを容易に認識できるものとなる。なお、発光手段４１として赤色、その他の色の光を発生するものを使用すると発光面４２がその色で発光するためより目立ちやすい。
【実施例４】
【００２９】
図５は第４の実施例に係る有紙通知装置を示す斜視図である。本例では、図５に示すように画像形成装置の胴内排紙部１６には、合成樹脂で形成されたビン排紙トレイ５０と、前記ビン排紙トレイ５０の上面に光を照射する発光ダイオードからなる発光手段５１とを備える。
【００３０】
本例では、ビン排紙トレイ５０に用紙が排出されると、発光手段５１はスタック状態通知手段からスタック信号を受けて発光する。発光された光はビン排紙トレイ５０の上面の領域５２に照射され、ビン排紙トレイ５０の領域５２他が他の部分より明るくなる。すると操作者には照らされた領域５２があるビン排紙トレイ５０が目立つように映り、操作者はビン排紙トレイ５０を注目することとなり、ビン排紙トレイ５０上に用紙が存在していることを容易に認識できるものとなる。なお、発光手段５１として赤色、その他の色の光を発生するものを使用するとビン排紙トレイ５０がその色に着色されるためより目立ちやすい。
【実施例５】
【００３１】
図６は第５の実施例に係る有紙通知装置を備えた画像形成装置６０を示す斜視図である。本例では、画像形成装置６０には、スタック状態通知手段と、スタック状態通知手段は、画像形成装置のビン排紙トレイ６１に用紙が排出されたとき、例えばファクシミリを受信したとき、所定の言語例えば日本語で「ビントレイにファックスを受信しました」と発生する音声発生装置６３とを備えるものとしている。音声発生装置６３は公知のものを使用することができる。この言語は予め定めた複数語から所望のものを選択するものとし、また、発生する言葉も画像形成装置６０の動作に合致したものとする。
【００３２】
本例によれば、画像形成装置６０の音声発生装置６３からの発生を操作者が理解し、ビン排紙トレイ６１に着目し、ビン排紙トレイ６１上に用紙６２がスタックされていることを認識できる。
【実施例６】
【００３３】
図７は、第６の実施例に係る有紙通知装置を備えた画像形成装置７０を示す斜視図である。本例に係る画像形成装置７０には、スタック状態通知手段と、スタック通知信号を受け、スタックがすべて終了した状態でスタックされた用紙紙７２とビン排紙トレイ７１を、内部からせり出すトレイ移動手段７３とを備える。
【００３４】
本例では、ビン排紙トレイ７１に用紙が排出し終わると、トレイ移動手段７３はスタック状態通知手段からスタック信号を受けてビン排紙トレイ７１を図中矢印の方向に移動させる。このため、すると操作者には飛び出したビン排紙トレイ７１が目立ち、操作者はビン排紙トレイ７１を注目することとなり、ビン排紙トレイ７１上に用紙紙７２が存在していることを容易に認識できるものとなる。
【図面の簡単な説明】
【００３５】
【図１】実施例に係る画像形成装置を示す斜視図である。
【図２】第１の実施例に係る有紙通知装置を示す斜視図である。
【図３】第２の実施例に係る有紙通知装置を示す斜視図である。
【図４】第３の実施例に係る有紙通知装置を示す斜視図である。
【図５】第４の実施例に係る有紙通知装置を示す斜視図である。
【図６】第５の実施例に係る有紙通知装置を備えた画像形成装置を示す斜視図である。
【図７】第６の実施例に係る有紙通知装置を備えた画像形成装置を示す斜視図である。
【符号の説明】
【００３６】
１０・・・画像形成装置
１１・・・作像部
１２・・・自動原稿送り装置
１３・・・画像読取装置
１４・・・給紙部
１５・・・操作部
１６・・・胴内排紙部
１７，１８・・・排紙口
２０・・・ビン排紙トレイ
２１・・・光センサ
２２・・・発光手段
２３・・・発光ダイオード
３０・・・ビン排紙トレイ
３１・・・発光手段
３２・・・発光面
３３・・・トレイ受部
３４・・・信号接続部
４０・・・ビン排紙トレイ
４１・・・発光手段
４２・・・発光面
４３・・・トレイ受部
５０・・・ビン排紙トレイ
５１・・・発光手段
５２・・・領域
６０・・・画像形成装置
６１・・・ビン排紙トレイ
６２・・・用紙
６３・・・音声発生装置
７０・・・画像形成装置
７１・・・ビン排紙トレイ
７２・・・用紙紙
７３・・・トレイ移動手段
【図１】
2006259194.tif 000003
【図２】
2006259194.tif 000004
【図３】
2006259194.tif 000005
【図４】
2006259194.tif 000006
【図５】
2006259194.tif 000007
【図６】
2006259194.tif 000008
【図７】
2006259194.tif 000009